(57)【要約】【課題】易剥離型積層スクイズ容器であり、口筒部に第１逆止弁を設けた容器本体の開口部を開設した底部に、第２逆止弁を設けたベースカップを密に組付けた注出容器において、容器本体とベースカップとの組付き部分の壁構造を、多数の凹凸により、形状保持性を高めることにより、容器本体とベースカップとの安定した強固な組付きの確保と、確実な密接の維持とを得る。【解決手段】口筒部６を第１逆止弁１８で開閉し、底部８に外層２と内層３との間への外気の侵入口である開口部１５を開設したスクイズ性デラミボトルである容器本体１の底部８に、開設した通気孔２５を第２逆止弁２７で開閉する有底筒状のベースカップ２０を、密に螺合外装組付けし、底部８の底周壁９に設けた補強部として機能する段部１１に近接して、ベースカップ２０との間を密にシールするシール部を設ける。【選択図】　　　　　　　図２
2004123130.tif 000002
【特許請求の範囲】
【請求項１】
外層（２）の内側に内層（３）を剥離可能に積層し、上部に内容物の注出口を形成する口筒部（６）を設け、有底筒状の底部（８）の底壁（１３）に位置している前記外層（２）の一部に、該外層（２）と内層（３）との間に外気を導入する開口部（１５）を開設したスクイズ変形可能な容器本体（１）と、該容器本体（１）内への内容物の逆流および外気の流入を阻止し、前記口筒部（６）を開閉する第１逆止弁（１８）と、前記底部（８）に螺合外装する筒壁（２１）を有し、底板（２４）に通気孔（２５）を開設した有底筒状のベースカップ（２０）と、前記通気孔（２５）に組付けられ、外気の導入を許す第２逆止弁（２７）とから構成され、前記底部（８）の底周壁（９）に設けた第１シール部（１２）と、前記筒壁（２１）の内周面に設けた第２シール部（２３）との密接により、前記底周壁（９）と筒壁（２１）との組付きを気密にした注出容器。
【請求項２】
容器本体（１）の底部（８）の底周壁（９）に、段部（１１）を周設し、該段部（１１）に近接して第１シール部（１２）を設けた請求項１記載の注出容器。
【請求項３】
容器本体（１）の底部（８）の底壁（１３）に、該底壁（１３）の外層（２）に形成された食切り部（１４）を開口させて、開口部（１５）を形成した請求項１または２記載の注出容器。
【請求項４】
第１シール部（１２）と第２シール部（２３）の一方を周突条構造とし、他方を平滑な周面構造とした請求項１乃至３記載の注出容器。
【請求項５】
第１シール部（１２）と第２シール部（２３）の何れか一方を底部（８）の底周壁（９）または筒壁（２１）の内周面に固定される環状弾性部材で構成した請求項１乃至４記載の注出容器。
【請求項６】
容器本体（１）の口筒部（６）に連通する通路（３７）を内部に形成した柄部（３５）に、複数の櫛歯片（３４）を整列形成し、該各櫛歯片（３４）に、該櫛歯片（３４）の中間高さ位置に、整列方向に開口した注出孔（３９）と、該注出孔（３９）と通路（３７）とを連通する注出路（３８）とを形成した櫛体（３３）を、前記口筒部（６）に組付けた請求項１乃至５記載の注出容器。
【発明の詳細な説明】
【０００１】
【発明の属する技術分野】
本発明は、容器内部へ外気を侵入させることなく、内容物の注出が可能な注出容器に関し、特に、定形に成形された外層と、この外層に剥離可能に積層した内層とから構成される、スクイズ変形可能な容器本体と、この容器本体の底部に密に外装組付けされるベースカップとの組合せで構成される注出容器に関する。
【０００２】
【従来の技術】
外層の内側に内層を剥離可能に積層し、上部に内容物の注出口を形成する口筒部を設け、有底筒状の底部の底壁に位置している外層の一部に、この外層と内層との間に外気を導入する開口部を開設した、スクイズ変形可能な容器本体と、容器本体内への内容物の逆流および外気の流入を阻止すべく、容器本体の口筒部を開閉する第１逆止弁と、容器本体の底部に密に外嵌し、底板に通気孔を開設したベースカップと、このベースカップの通気孔に組付けられ、外気の導入を許す第２逆止弁とから構成した容器を、本件出願人は先に出願している（例えば、特許文献１参照）。
【０００３】
【特許文献１】
特願２００２−１２９１９５号明細書
【０００４】
【発明が解決しようとする課題】
上記した従来技術にあっては、容器本体の底部に対して、ベースカップが補強作用を発揮するので、容器の底部は、安定した強度と自立機能とを得ることができるのであるが、省資源化の要望の高まりにより、容器本体のスクイズ性を高めると、その分、容器本体が変形し易くなるので、この変形のし易さの程度によっては、容器本体とベースカップとの間の、結合の強さおよびシール性の確実さが低下するのではないか、と云う不安がある。
【０００５】
そこで、本発明は、上記した従来技術における不安を解消すべく創案されたもので、容器本体のベースカップとの組付き部分の壁構造を、多数の凹凸により、形状保持性を高めることを技術的課題とし、もって容器本体とベースカップとの安定した強固な組付きを確保すると共に、容器本体とベースカップとの間の密接を安定して維持することを目的とする。
【０００６】
【課題を解決するための手段】
上記技術的課題を解決するための本発明のうち、請求項１記載の発明は、外層の内側に内層を剥離可能に積層し、上部に内容物の注出口を形成する口筒部を設け、有底筒状の底部の底壁に位置している外層の一部に、この外層と内層との間に外気を導入する開口部を開設したスクイズ変形可能な容器本体を有すること、この容器本体内への内容物の逆流および外気の流入を阻止し、容器本体の口筒部を開閉する第１逆止弁を有すること、
容器本体の底部に螺合外装する筒壁を有し、底板に通気孔を開設した有底筒状のベースカップを有すること、
このベースカップの通気孔に組付けられ、外気の導入を許す第２逆止弁を有すること、
容器本体の底部の底周壁に設けた第１シール部と、ベースカップの筒壁の内周面に設けた第２シール部との密接により、容器本体の底周壁とベースカップの筒壁との組付きを気密にしたこと、
にある。
【０００７】
この請求項１記載の発明にあっては、スクイズ可能な容器本体の胴部を押圧すると、口筒部を閉塞していた第１逆止弁が開放し、内容物が口筒部から容器本体外に注出される。
【０００８】
容器本体の押圧を解除すると、内容物の注出が止まり、外層が弾性回復力により元の形に復元し始め、第１逆止弁の機能により、口筒部が閉塞されて、容器本体内部への内容物の逆流および外気の侵入を阻止する。
【０００９】
この際、内層は減容変形した状態を保持したままであるので、元の形に復元しようとする外層と、減容変形状態を保持する内層と隙間が減圧状態となり、第２逆止弁がベースカップの通気孔を開放し、外気を通気孔から開口部を通して、外層と内層との間に流入させ、素早く外層を元の形状まで復元させる。
【００１０】
外層が元の状態に復元した後、再び容器本体の胴部を押圧すると、外層と内層との間が加圧状態となり、第２逆止弁の機能により、通気孔を閉塞して、内層と外層との間に流入した外気の逆流、すなわち流出を防止する。
【００１１】
このため、再度、容器本体の胴部を押圧した際に、内層と外層との間に存在する空気を介して、減容変形している内層内の内容物を加圧することができ、再び第１逆止弁が口筒部を開放して、内容物を確実に注出することができる。
【００１２】
容器本体の底部に開口部を開設した構造であっても、有底円筒状のベースカップを、容器本体の底部に螺合外装させているので、ベースカップで容器本体の底部を補強することとなり、これにより容器本体のスクイズ性が高められた構成であっても、容器の底部の形態を安定に維持し、安定した自立機能を発揮する。
【００１３】
容器本体のベースカップとの組付き部分である底部の底周壁には、ベースカップと螺合結合するための螺条が設けられることになるが、この螺条は、底周壁を凹凸変形させて周設されるものであるので、個々の螺条が補強突条としても機能することになり、これにより容器本体のスクイズ性を高めても、容器本体とベースカップとの組付き力を、強い状態に維持することになる。
【００１４】
また、ベースカップの第２シール部と密接して、容器本体の底部の底周壁とベースカップの筒壁との組付きを密なものとする底部の第１シール部を設けているので、これにより容器本体に対するベースカップの密な組付きを確実に確保することになる。
【００１５】
請求項２記載の発明は、請求項１記載の発明の手段に、容器本体の底部の底周壁に、段部を周設し、該段部に近接して第１シール部を設けた、ことを加えたものである。
【００１６】
この請求項２記載の発明にあっては、ベースカップの第２シール部と密接して、容器本体の底部の底周壁とベースカップの筒壁との組付きを密なものとする底部の第１シール部は、段部に近接して設けられているので、この段部が発揮する補強作用により、安定して自己形状を一定に維持することになり、これにより容器本体に対するベースカップの密な組付きを更に確実に確保することになる。
【００１７】
請求項３記載の発明は、請求項１または２記載の発明の手段に、容器本体の底部の底壁に、この底壁の外層に形成された食切り部を開口させて、開口部を形成した、ことを加えたものである。
【００１８】
この請求項３記載の発明にあっては、相溶性の殆ど無い外層パリソンと内層パリソンとを共押し出しした積層パリソンを、金型のピンチオフ部で押し潰し成形される食い切り部に、容易に発生する底割れをそのまま開口部として用いることができ、面倒な後加工操作を必要とすることなく、開口部を底部に形成することができる。
【００１９】
請求項４記載の発明は、請求項１乃至３記載の発明の手段に、第１シール部と第２シール部の一方を周突条構造とし、他方を平滑な周面構造とした、ことを加えたものである。
【００２０】
この請求項４記載の発明にあっては、第１シール部と第２シール部との密接触状態を、線接触状態とすることになるので、局部的な弾性変形を利用して、強固で安定した密接触状態を得ることができる。
【００２１】
請求項５記載の発明は、請求項１乃至４記載の発明の手段に、第１シール部と第２シール部の何れか一方を底部の底周壁または筒壁の内周面に固定される環状弾性部材で構成した、ことを加えたものである。
【００２２】
この請求項５記載の発明にあっては、第１シール部と第２シール部との密接触状態を、環状弾性部材を介して接触状態とすることになるので、該部材の弾性変形力を利用して、強固で安定した密接触状態を得ることができる。
【００２３】
請求項６記載の発明は、請求項１乃至５記載の発明の手段に、容器本体の口筒部に連通する通路を内部に形成した柄部に、複数の櫛歯片を整列形成し、この各櫛歯片に、櫛歯片の中間高さ位置に、整列方向に開口した注出孔と、この注出孔と通路とを連通する注出路とを形成した櫛体を、口筒部に組付けた、ことを加えたものである。
【００２４】
この請求項６記載の発明にあっては、容器本体の胴部を握った手により、この胴部を押圧して減容方向にスクイズ変形させると、内容物である染毛剤が、直接各櫛歯片間に注出されるので、そのまま、すなわち胴部を握ったまま、櫛体で頭髪を梳いて、注出した染毛剤を頭髪に塗布することができ、また再度の胴部に対する押圧により、櫛歯片間への染毛剤の注出を達成することができるので、頭髪に対する染毛剤の適量ずつの塗布を、連続して達成することができる。
【００２５】
【発明の実施の形態】
以下、本発明の実施の形態について図面を参照にしながら説明する。
図１は、本発明における注出容器の一実施例に、櫛体３３を組付けた例の正面図を示すもので、注出容器は、容器本体１と、この容器本体１の底部８に密に螺合外装組付きしたベースカップ２０と、から構成されており、櫛体３３は、容器本体１の口筒部６に、取付け体２９を介して、その内部に形成した通路３７を口筒部６に連通させた状態で組付けられている。
【００２６】
容器本体１は、押圧による弾性変形およびこの変形の回復が可能な外層２と、この外層２に対して相溶性の低い合成樹脂で、萎み変形自在で剥離可能な内層３が積層された積層構造を有しており、胴部４の上部に肩部５を介して短円筒状の口筒部６を設けており、この口筒部６の外周面にはネジ条が刻設されている。尚、内容物の安定した吐出を可能とする為、容器本体１の内外層間には口部から底部に亘って軸方向に伸びる一定幅を有する接着層を少なくとも１本以上設けるのが好適であり、更に好ましくは対象位置に２本設けるのが好適である。
【００２７】
胴部４の下端には、下向きの段部７を介して、底周壁９と底壁１３とから成る有底円筒状の底部８（以下、図２参照）が連設されており、底周壁９には、螺条１０と段部１１と第１シール部１２とが形成されており、底壁１３には、容器本体１をブロー成形した際に、ブロー金型により外層２に食切り部１４が成形されており、この食切り部１４を開放して開口部１５を形成している。
【００２８】
底部８における螺条１０は、それ自体が局部的に湾曲成形された周突条状となっているので、強力な自己形状保持力を発揮することになり、また段部１１は、図２および図５図示実施例の場合、螺条１０の下位に設けられているが、図６に示すように、螺条１０の上位に設けても良い。
【００２９】
第１シール部１２は、この段部１１に近接して設けられているが、図２に示した実施例では、段部１１と一体に成形された周突条構造に成形されており、図５に示した実施例では、螺条１０と段部１１とに挟まれた平滑な外周面構造となっており、そして図６に示した実施例では、段部７と段部１１とに挟まれた平滑な外周面構造となっており、いずれの場合も、補強リブとしての機能を発揮する部分と組合さって、安定したそして強固に自己形状を保持する構造となっている。
【００３０】
開口部１５は、図３に示すように、底壁１３に、パーティングラインに沿って成形された外層２の食切り部１４を、例えば、底壁１３に対して、パーティングラインに沿って挟持力を作用させることにより、図４（ａ）に示した成形時の状態から、図４（ｂ）に示すように、押し開いて開口形成される。
【００３１】
このように、開口部１５を、食切り部１４を押し開いて底割れ状に形成した場合は、底部８の機械的強度が低下することになるが、この底部８の機械的強度の低下は、底部８に螺合外装したベースカップ２０が外枠体として作用して補強するので、容器として安定した自立機能を発揮する。
【００３２】
第１逆止弁１８（図１参照）は、口筒部６の開口端に密に組付いた中栓パッキン１６に、この中栓パッキン１６の中央に開設された中央開口部１７を、その弁片１９で開閉すべく組付けられている。
【００３３】
底部８に螺合外装するベースカップ２０は、螺条１０と螺合する螺旋条２２を内周面に刻設した筒壁２１の下端に底板２４を連設した有底円筒形状をし、筒壁２１の内周面の第１シール部１２に対向する箇所に、この第１シール部１２と密接触する第２シール部２３を形成し、そして底板２４の中央に通気孔２５を開設している。
【００３４】
第２シール部２３は、図２に示した実施例では、平滑な内周面構造をしており、図５に示した実施例では、周突条構造をしており、そして図６に示した実施例では、複数の小さな周突条の組合せ構造となっている。尚、壁と一体構造の前記実施例に代えて、図示はしないが、第１シール部１２と第２シール部２３の何れか一方を底部８の底周壁または筒壁２１の内周面に固定されるＯリングや何れかの壁に圧接する弾性変形足部を有するシール部材等の環状弾性部材で構成することも可能であり、この場合には第１シール部１２と第２シール部２３とを、環状弾性部材の弾性変形力を利用して、強固で安定した密接触状態とすることとなる。
【００３５】
ベースカップ２０の通気孔２５を開閉する第２逆止弁２７は、図２、図５そして図６図示実施例の場合、底板２４の上面に、通気孔２５を囲むように立設された弁保持筒２６内に、その弁片２８で通気孔２５を開閉するように組付け保持されている。
【００３６】
この第２逆止弁２７に関する構造は、上記したものに限定されることはなく、図７および図８に示すように、底板２４の中央に有頂筒形状の弁保持筒２６を立設すると共に、この弁保持筒２６の周りに通気孔２５を開設し、この通気孔２５を開閉できる円板状の弁片２８を有する第２逆止弁２７を、弁保持筒２６に外嵌固定した構造、または図９に示すように、有頂筒形状の弁保持筒２６の頂壁に通気孔２５を開設し、この通気孔２５を開閉する弁片２８を有する第２逆止弁２７を、弁保持筒２６に被嵌状に組付けた構造であっても良い。
【００３７】
さらには、図１０に示すように、図７図示実施例の弁保持筒２６を有底円筒形状とした構造とか、図１１に示すように、弁保持筒２６を設けることなく、通気孔２５の開口縁に複数の切り込みを設け、この切り込みを含めた通気孔２５全体を覆う弁片２８を有する第２逆止弁２７を、切り込みを実質的な通気孔２５として作用させるべく、この切り込みを塞がない構成で、通気孔２５に係合組付けさせる構造とかであっても良い。
【００３８】
櫛体３３を容器本体１に取付ける取付け体２９は、口筒部６に螺合外装する螺合筒３０の上端に、内鍔状の肩壁片３１を介して、口筒部６と連通する結合筒片３２を起立連設して構成され、口筒部６に螺合組付きすることにより、中栓パッキン１６の口筒部６に対する組付きを保持すると共に、中栓パッキン１６に対する第１逆止弁１８の組付きを確保する。
【００３９】
櫛体３３は、容器本体１から注出された内容物が通る通路３７を形成する柄部３５と、この柄部３５の一方側面に、上下に直列かつ等間隔に起立設された複数の櫛歯片３４と、柄部３５の下端に垂下状に連設され、取付け体２９の結合筒片３２に密嵌入結合する組付き筒片３６とから構成され、上端と下端を除いた各櫛歯片３４の中央部には、上下方向すなわち整列方向に開口した注出孔３９が開設されており、各注出孔３９は、櫛歯片３４内に形成された注出路３８により、通路３７に連通している。
【００４０】
なお、図示実施例（図１参照）の場合、柄部３５の下端には、組付き筒片３６を囲む形態で、下方に拡径したスカート状の筒片が設けられているが、この筒片は、その下端部を取付け体２９の肩壁片３１に外嵌させることにより、櫛体３３の取付け体２９に対する組付きを強固で安定したものとしている。
【００４１】
また、取付け体２９を設けることなく、櫛体３３を直接容器本体１に組付けても良いのであるが、その場合には、容器本体１に対する櫛体３３の組付きによって、口筒部６に対する中栓パッキン１６の密な組付き、および中栓パッキン１６に対する第１逆止弁１８の安定した組付きの確保を達成する必要がある。
【００４２】
更には、図示実施例（図１参照）の場合、複数の櫛歯片３４は、容器本体１から注出された内容物が通る通路３７を形成する柄部３５の一方側面に、上下に直列かつ等間隔に起立設された横櫛状の形状を呈しているが、これに限定されるものではなく、柄部３５の上方に位置して、左右に広がる縦櫛状に等間隔に起立設されるものでも良いし、或いは、該櫛歯片３４を複数列設けたブラシ形状とすることも可能である。
【００４３】
染毛剤等の内容物は、容器本体１の胴部４の押圧によって、櫛体３３がどのような方向となっていたとしても、内層３内が確実に加圧状態となり、第１逆止弁１８の機能により、口筒部６が開口されるため、通路３７および注出路３８を通って注出孔３９から櫛歯片３４間に注出され、櫛歯片３４によるブラッシングにより頭髪に塗布される。
【００４４】
胴部４の押圧を解除すると、加圧状態であった内層３内が減圧状態となり、第１逆止弁１８が閉状態となるため、外気および注出した内容物の内層３内への侵入を阻止する。
【００４５】
また、胴部４の押圧を解除すると、外層２は、弾性復元力により元の形状へ復元を開始するが、外層２から剥離した内層３は、第１逆止弁１８により外気が侵入しないので、萎み状に減容変形したままとなり、外層２と内層３との間が負圧状態となる。
【００４６】
このため、第２逆止弁２７が開状態となって、ベースカップ２０の通気孔２５から容器本体１の開口部１５を通って、外気が外層２と内層３との間に侵入し、外層２は元の形状に復元する。
【００４７】
再び、容器本体１の胴部４を押圧すると、第２逆止弁２７が閉状態となっているので、外層２と内層３との間に侵入した外気は、そのまま閉じ込められた状態となるので、内層３は加圧状態となり、内容物の注出が達成される。
【００４８】
【発明の効果】
本発明は、上記した構成になっているので、以下に示す効果を奏する。
請求項１記載の発明にあっては、容器本体とベースカップとの組付きを、螺合結合により達成しているので、容器本体のスクイズ性が増大しても、容器本体とベースカップとの組付き強度が殆ど低下することがなく、これにより省資源化を達成することができると共に、スクイズ性を安全に高めて、容器の使用のし易さを高めることができる。
【００４９】
また、ベースカップの第２シール部と密接して、容器本体に形成される第１シール部を設けているので、これにより容器本体の底部とベースカップとの気密な組付きを、確実に維持させることができる。
【００５０】
請求項２記載の発明にあっては、容器本体に形成される第１シール部を、補強部として機能する段部に近接して設けたので、容器本体のスクイズ性を高めたとしても、第１シール部の形状保持力を充分に高めることができ、これにより容器本体の底部とベースカップとの気密な組付きを、確実にかつ強力に維持させることができる。
【００５１】
請求項３記載の発明にあっては、パーティングラインに沿って外層に形成された食い切り部を開口したものを開口部として用いたため、相溶性の殆ど無い外層部分と内層部分との積層構造によって容易に発生する底割れをそのまま開口部として用いることができ、開口部を開設するための面倒な成形操作、および設備を要することがない。
【００５２】
請求項４記載の発明にあっては、シール部を周突条構造と平滑周面構造との組合せで構成したので、その構造が簡単で、ブロー成形でも、適正に成形することができる。
【００５３】
請求項５記載の発明にあっては、第１シール部と第２シール部との密接触状態を、環状弾性部材を介して接触状態とすることになるので、該部材の弾性変形力を利用して、強固で安定した密接触状態を得ることができる。
【００５４】
請求項６記載の発明にあっては、容器本体に収容した内容物を、直線状に整列配置した複数の櫛歯片間に注出可能に、櫛体を組付けたので、押圧操作により注出した内容物を直接各櫛歯片間に注出して、そのまま、この櫛体で内容物を頭髪に塗布することができ、またこの塗布操作を連続して行うこともできるので、内容物の頭髪への塗布を、良好に効率良く行うことができる。
【図面の簡単な説明】
【図１】本発明の一実施例を示す、縦半断面した全体側面図。
【図２】図１に示した実施例の底部分の構造を示す、縦半断面図。
【図３】図１に示した実施例のベースカップを平断した、底面図。
【図４】図１に示した実施例の底壁の食切り部を示す拡大断面図で、図４（ａ）は開口部形成前の状態図、図４（ｂ）は開口部形成の状態図。
【図５】容器の底部分の他の実施例の構造を示す、縦半断面図。
【図６】容器の底部分の他の実施例の構造を示す、縦半断面図。
【図７】容器の底部分のさらに他の実施例の構造を示す、縦半断面図。
【図８】本発明に使用する第２逆止弁の他の実施例を示す、部分拡大断面図。
【図９】本発明に使用する第２逆止弁の他の実施例を示す、部分拡大断面図。
【図１０】本発明に使用する第２逆止弁の他の実施例を示す、部分拡大断面図。
【図１１】本発明に使用する第２逆止弁の他の実施例を示す、部分拡大断面図。
【図１２】本発明に使用する第２逆止弁の他の実施例を示す、部分拡大断面図。
【符号の説明】
１　；　容器本体
２　；　外層
３　；　内層
４　；　胴部
５　；　肩部
６　；　口筒部
７　；　段部
８　；　底部
９　；　底周壁
１０；　螺条
１１；　段部
１２；　第１シール部
１３；　底壁
１４；　食切り部
１５；　開口部
１６；　中栓パッキン
１７；　中央開口部
１８；　第１逆止弁
１９；　弁片
２０；　ベースカップ
２１；　筒壁
２２；　螺旋条
２３；　第２シール部
２４；　底板
２５；　通気孔
２６；　弁保持筒
２７；　第２逆止弁
２８；　弁片
２９；　取付け体
３０；　螺合筒
３１；　肩壁片
３２；　結合筒片
３３；　櫛体
３４；　櫛歯片
３５；　柄部
３６；　組付き筒片
３７；　通路
３８；　注出路
３９；　注出孔
【図１】
2004123130.tif 000003
【図２】
2004123130.tif 000004
【図３】
2004123130.tif 000005
【図４】
2004123130.tif 000006
【図５】
2004123130.tif 000007
【図６】
2004123130.tif 000008
【図７】
2004123130.tif 000009
【図８】
2004123130.tif 000010
【図９】
2004123130.tif 000011
【図１０】
2004123130.tif 000012
【図１１】
2004123130.tif 000013
【図１２】
2004123130.tif 000014
【手続補正書】
【提出日】平成14年10月10日(2002.10.10)
【手続補正１】
【補正対象書類名】図面
【補正対象項目名】全図
【補正方法】変更
【補正の内容】
【図１】
2004123130.tif 000015
【図２】
2004123130.tif 000016
【図３】
2004123130.tif 000017
【図４】
2004123130.tif 000018
【図５】
2004123130.tif 000019
【図６】
2004123130.tif 000020
【図７】
2004123130.tif 000021
【図８】
2004123130.tif 000022
【図９】
2004123130.tif 000023
【図１０】
2004123130.tif 000024
【図１１】
2004123130.tif 000025
【図１２】
2004123130.tif 000026